(57)【要約】      （修正有）【課題】簡易な構造であり、かつ、軽量の冷却服を提供する。また、着衣者の体表面の広い範囲を冷却することができる冷却服を提供する。【解決手段】冷却服１は、外装服２と内装服３で構成され、外装服２は、吸水性素材で、内装服３は、防水性素材で構成され、内装服３は、外装服２の内部に設置される。内装服３は、防水性素材で構成されているので、内装服３を装着すると防水性素材であるビニール、合成繊維などが着衣者の体表面に直接接触するので、不快感を感じることがあり、このため、内装服の内部に肌着を設置してもよい。【選択図】図３
2012117155.tif 000002
【特許請求の範囲】
【請求項１】
体表面を冷却するための冷却服であって、
吸水性素材で構成されている外装服と、
防水性素材で構成されている内装服と、
を有し、
前記内装服は、前記外装服の内部に設置されていることを特徴とする冷却服。
【請求項２】
吸水性素材で構成されている肌着を有し、
前記肌着は、前記内装服の内部に設置されていることを特徴とする請求項１に記載の冷却服。
【請求項３】
前記外装服はベスト型の形状を有し、
前記内装服はベスト型の形状を有することを特徴とする請求項１に記載の冷却服。
【請求項４】
前記肌着ベスト型の形状を有することを特徴とする請求項３に記載の冷却服。
【請求項５】
前記外装服は袖を有する上衣の形状を有し、
前記内装服は袖を有する上衣の形状を有することを特徴とする請求項１に記載の冷却服。
【請求項６】
前記肌着は袖を有する上衣の形状を有することを特徴とする請求項５に記載の冷却服。
【請求項７】
前記肌着はメッシュ構造を有する布地で構成されていることを特徴とする請求項２、請求項４、請求項６のうちのいずれか１つに記載の冷却服。
【請求項８】
前記外装服は外装服第一周縁と外装服第二周縁の間にオープンファスナーを有することを特徴とする請求項１、請求項３、請求項５、請求項７のうちのいずれか１つに記載の冷却服。
【請求項９】
前記外装服は外装服第一周縁の近傍にボタンが設置されており、外装服第二周縁の近傍にはボタン穴が形成されていることを特徴とする請求項１、請求項３、請求項５、請求項７のうちのいずれか１つに記載の冷却服。
【請求項１０】
前記内装服は内装服第一周縁と内装服第二周縁の間にオープンファスナーを有することを特徴とする請求項１、請求項３、請求項５、請求項７、請求項８、請求項９のうちのいずれか１つに記載の冷却服。
【請求項１１】
前記内装服は内装服第一周縁の近傍にボタンが設置されており、内装服第二周縁の近傍にはボタン穴が形成されていることを特徴とする請求項１、請求項３、請求項５、請求項７、請求項８、請求項９のうちのいずれか１つに記載の冷却服。
【発明の詳細な説明】
【技術分野】
【０００１】
本発明は、簡易な構造で着衣者の体表面を冷却するための冷却服に関する。
【背景技術】
【０００２】
夏期の気温は暑い。
このため、夏期に外出する際や夏期に屋外で作業する際に、着衣者は冷却服を着用すれば、夏バテや体力が低下することを防止することができる。
【０００３】
これまでの冷却服は、空気発生装置などが接続されていたために冷却服は大規模になっており、また、重量も大きかった。
また、これまでの冷却服の中には、着衣者の体表面の一部分しか冷却することができないものもあった。
背景技術には、特許文献１と特許文献２がある。
【０００４】
特許文献１に示す冷却服は、冷却空気発生装置が接続されているので、冷却服は大規模になり、また、重量も大きい。
【０００５】
特許文献２に示す冷却服は、冷凍庫で凍らせた蓄冷剤を冷却服の表面に取り付ける構造になっているので、冷却服の構造は簡単であり、また、軽量である。
しかし、特許文献２に示す冷却服は着衣者の体表面の一部分しか冷却することができない。
【０００６】
【特許文献１】特許公開２００１−４０５１２公報
【特許文献２】実用新案登録登録３０２１０２７公報
【発明の開示】
【発明が解決しようとする課題】
【０００７】
本発明は、簡易な構造であり、かつ、軽量の冷却服を提供することを目的とする。
また、本発明は、着衣者の体表面の広い範囲を冷却することができる冷却服を提供することを目的とする。
【課題を解決するための手段】
【０００８】
上記課題を解決するために、本発明の冷却服は、外装服と内装服で構成される。
【０００９】
外装服は、吸水性素材で構成されている。
吸水性素材は、水を吸水することができる。
吸水性素材には、布や繊維織物などがある。
外装服は、吸水性素材で構成されているので、水に濡らしたり、水に浸して、水を吸水していれば、外装服の周囲の熱を消費して吸水した水を蒸発させる。
【００１０】
内装服は、防水性素材で構成されている。
防水性素材は、水分の流通を阻止、または、抑制することができる。
防水性素材には、ビニール、合成繊維などがある。
水を吸水した外装服を着衣者の体表面に直接接触させても、着衣者の体を冷却することはできる。
しかし、水を吸水した外装服を着衣者の体表面に直接接触させると、着衣者の体温の低下が激しいので、着衣者の体に与える悪影響は大きい。
また、水を吸水して湿った外装服が着衣者の体表面に直接接触すると、着衣者は不快感を感じる。
このため、外装服の内部に内装服を設置して、水を吸水した外装服が着衣者の体表面に直接接触しないようにしている。
着衣者は、冷却服を着用しているときに寒さを感じたときには、外装服を内装服から分離しなければならないが、外装服を内装服から分離しても、内装服の外部から体表面が透けて見えないようにするために、内装服には、内装服の外部から体表面が透けて見えない程度の模様や色彩を施している。
【００１１】
内装服は、外装服の内部に設置される。
【００１２】
内装服は着衣者の体表面に接触しているので、着衣者の体表面の熱は内装服に伝熱される。
内装服は外装服に接触しているので、内装服に伝熱された着衣者の体表面の熱は外装服に伝熱される。
外装服は、吸水性素材で構成されているので、水に濡らしたり、水に浸して、水を吸水していれば、外装服の周囲の熱を消費して吸水した水を蒸発させるが、外装服の周囲の熱とは、主に、内装服から伝熱された着衣者の体表面の熱と外装服の外部の熱である。
このため、外装服は、主に、内装服から伝熱された着衣者の体表面の熱と外装服の外部の熱を消費して吸水した水を蒸発させる。
外装服が、内装服から伝熱された着衣者の体表面の熱と外装服の外部の熱を消費して吸水した水を蒸発させると、着衣者の体表面の熱は消費されるので、着衣者の体を冷却することができる。
【００１３】
内装服は、防水性素材で構成されているので、内装服を装着すると防水性素材であるビニール、合成繊維などが着衣者の体表面に直接接触するので、不快感を感じることがある。
このため、内装服の内部に肌着を設置してもよい。
肌着は、吸水性素材で構成されている。
吸水性素材は、水を吸収することができる。
吸水性素材には、布や繊維織物がある。
肌着４は、メッシュ構造を有する布地で構成してもよい。
【００１４】
肌着は着衣者の体表面に接触しているので、着衣者の体表面の熱は肌着に伝熱される。
肌着は内装服に接触しているので、肌着に伝熱された着衣者の体表面の熱は内装服に伝熱される。
内装服は外装服に接触しているので、内装服に伝熱された体表面の熱は外装服に伝熱される。
外装服は、吸水性素材で構成されているので、水に濡らしたり、水に浸して、水を吸水していれば、外装服の周囲の熱を消費して吸水した水を蒸発させるが、外装服の周囲の熱とは、主に、内装服から伝熱された着衣者の体表面の熱と外装服の外部の熱である。
このため、外装服は、主に、内装服から伝熱された着衣者の体表面の熱と外装服の外部の熱を消費して吸水した水を蒸発させる。
外装服が、内装服から伝熱された着衣者の体表面の熱と外装服の外部の熱を消費して吸水した水を蒸発させると、着衣者の体表面の熱は消費されるので、着衣者の体を冷却することができる。
【発明の効果】
【００１５】
本発明の冷却服は、簡易であり、軽量な構造で構成することができる。
また、本発明の冷却服は、着衣者の体表面の広い範囲を冷却することができる。
【発明を実施するための最良の形態】
【００１６】
図面に基づいて発明を実施するための最良の形態を説明する。
【実施例１】
【００１７】
実施例１の冷却服１は、図１、図２、図３に示すように図４(ａ)(ｂ)、図６(ａ)に示す外装服２と図５(ａ)(ｂ)、図６(ｂ)に示す内装服３で構成される。
【００１８】
外装服２は、図４(ａ)(ｂ)、図６(ａ)に示すように、ベスト型の形状を有する。
外装服２は、吸水性素材で構成されている。
吸水性素材は、水を吸水することができる。
吸水性素材には、布や繊維織物などがある。
外装服２は、吸水性素材で構成されているので、水に濡らしたり、水に浸して、水を吸水していれば、外装服の周囲の熱を消費して吸水した水を蒸発させる。
外装服２は、図７(ａ)(ｂ)に示すように、外装服２の正面を水平方向の中間点、あるいは、中間点の近傍で垂直方向に切断して、外装服第一周縁２ａと外装服第二周縁２ｂを形成して、外装服第一周縁２ａと外装服第二周縁２ｂの間にオープンファスナー５を設置してもよい。
このほかに、外装服２は、図８(ａ)(ｂ)に示すように、外装服２の正面を水平方向の中間点、あるいは、中間点の近傍で垂直方向に切断して、外装服第一周縁２ａと外装服第二周縁２ｂを形成して、外装服第一周縁２ａの近傍にボタン６を設置して、外装服第二周縁２ｂの近傍にボタン穴７を形成してもよい。
ボタン６は、糸などで外装服第一周縁２ａの近傍に設置されている。
外装服第一周縁２ａと外装服第二周縁２ｂの近傍には、ボタン６とボタン穴７ではなく、フックボタン、あるいは、ファスナーテープを設置してもよい。
【００１９】
内装服３は、図５(ａ)(ｂ)、図６(ｂ)に示すように、ベスト型の形状を有する。
内装服３は、防水性素材で構成されている。
防水性素材は、水分の流通を阻止、または、抑制することができる。
防水性素材には、ビニール、合成繊維などがある。
水を吸水した外装服２を肌に直接接触させても、着衣者の体表面を冷却することができる。
しかし、水を吸水した外装服２を着衣者の体表面に直接接触させると、体温の低下が激しいので、着衣者の体に与える悪影響は大きい。
また、水を吸水して湿った外装服２を着衣者の体表面に直接接触すると不快感を感じる。
このため、外装服２の内部に内装服３を設置して、水を吸水した外装服２が着衣者の体表面に直接接触しないようにしている。
冷却服１を着用しているときに寒さを感じたときには、外装服２を内装服３から分離しなければならないが、外装服２を内装服３から分離しても、内装服３の外部から着衣者の体表面が透けて見えないようにするために、内装服３には、内装服３の外部から着衣者の体表面が透けて見えない程度の模様や色彩を施している。
内装服３は、図９(ａ)(ｂ)に示すように、内装服３の正面を水平方向の中間点、あるいは、中間点の近傍で垂直方向に切断して、内装服第一周縁３ａと内装服第二周縁３ｂを形成して、内装服第一周縁３ａと内装服第二周縁３ｂの間にオープンファスナー５を設置してもよい。
このほかに、内装服３は、図１０(ａ)(ｂ)に示すように、内装服３の正面を水平方向の中間点、あるいは、中間点の近傍で垂直方向に切断して、内装服第一周縁３ａと内装服第二周縁３ｂを形成して、内装服第一周縁３ａの近傍にボタン６を設置して、内装服第二周縁３ｂの近傍にボタン穴７を形成してもよい。
ボタン６は、糸などで内装服第一周縁３ａの近傍に設置されている。
内装服第一周縁３ａと内装服第二周縁３ｂの近傍には、ボタン６とボタン穴７ではなく、フックボタン、あるいは、ファスナーテープを設置してもよい。
【００２０】
内装服３は、図１、図２、図３に示すように、外装服２の内部に設置される。
【００２１】
内装服３は着衣者の体表面に接触しているので、着衣者の体表面の熱は内装服３に伝熱される。
内装服３は外装服２に接触しているので、内装服３に伝熱された着衣者の体表面の熱は外装服２に伝熱される。
外装服２は、吸水性素材で構成されているので、水に濡らしたり、水に浸して、水を吸水していれば、外装服２の周囲の熱を消費して吸水した水を蒸発させるが、外装服２の周囲の熱とは、主に、内装服３から伝熱された着衣者の体表面の熱と外装服２の外部の熱である。
このため、外装服２は、主に、内装服３から伝熱された着衣者の体表面の熱と外装服２の外部の熱を消費して吸水した水を蒸発させる。
外装服２が、内装服３から伝熱された着衣者の体表面の熱と外装服２の外部の熱を消費して吸水した水を蒸発させると、着衣者の体表面の熱は消費されるので、着衣者の体を冷却することができる。
【実施例２】
【００２２】
実施例２は、本発明の実施例１とは異なる実施例による冷却服１である。
【００２３】
実施例２の冷却服１は、図１１、図１２、図１３に示すように、実施例１の冷却服１の内装服３の内部に図１４(ａ)(ｂ)、図１５に示す肌着４が設置されている点が実施例１とは異なる。
【００２４】
内装服３は、防水性素材で構成されているので、着衣者は、内装服３を装着すると防水性素材であるビニール、合成繊維などが着衣者の体表面に直接接触するので、不快感を感じることがある。
このため、実施例２では、内装服３の内部に肌着４を設置して、着衣者が不快感を感じるのを防止している。
肌着４は、図１４(ａ)(ｂ)、図１５に示すように、ベスト型の形状を有する。
肌着４は、吸水性素材で構成されている。
吸水性素材は、水を吸収することができる。
吸水性素材には、布や繊維織物がある。
肌着４は、図１６(ａ)(ｂ)に示すようにメッシュ構造を有する布地８で構成してもよい。
【００２５】
着衣者の体表面は肌着４に接触しているので、着衣者の体表面の熱は肌着４に伝熱される。
肌着４は内装服３に接触しているので、内装服３には肌着４に伝わった着衣者の体表面の熱が伝熱される。
内装服３は外装服２に接触しているので、内装服３に伝わった着衣者の体表面の熱は外装服２に伝熱される。
外装服２は、吸水性素材で構成されているので、水に濡らしたり、水に浸して、水を吸水していれば、外装服２の周囲の熱を消費して吸水した水を蒸発させるが、外装服２の周囲の熱とは、主に、内装服３から伝熱された着衣者の体表面の熱と外装服２の外部の熱である。
このため、主に、外装服２は、内装服３から伝熱された着衣者の体表面の熱と外装服２の外部の熱を消費して吸水した水を蒸発させる。
外装服２が、内装服３から伝熱された着衣者の体表面の熱と外装服２の外部の熱を消費して吸水した水を蒸発させると、着衣者の体表面の熱は消費されるので、着衣者の体を冷却することができる。
また、肌着４は、図１６(ａ)(ｂ)に示すように、メッシュ構造を有する布地８で構成すると、着衣者の体表面の熱をより十分に内装服３に伝熱することができるので、より十分に着衣者の体表面を冷却して、より十分に着衣者の体を冷却することができる。
【実施例３】
【００２６】
実施例３は、本発明の実施例１とは異なる実施例による冷却服１である。
【００２７】
実施例３の冷却服１は、図１７(ａ)(ｂ)に示す袖９を有する上衣の形状を有する外装服２と図１８(ａ)(ｂ)に示す袖９を有する上衣の形状を有する内装服３から構成されている点が実施例１とは異なる。
【００２８】
外装服２は、図１９(ａ)(ｂ)に示すように、外装服２の正面を水平方向の中間点、あるいは、中間点の近傍で垂直方向に切断して、外装服第一周縁２ａと外装服第二周縁２ｂを形成して、外装服第一周縁２ａと外装服第二周縁２ｂの間にオープンファスナー５を設置してもよい。
このほかに、外装服２は、図２０(ａ)(ｂ)に示すように、外装服２の正面を水平方向の中間点、あるいは、中間点の近傍で垂直方向に切断して、外装服第一周縁２ａと外装服第二周縁２ｂを形成して、外装服第一周縁２ａの近傍にボタン６を設置して、外装服第二周縁２ｂの近傍にボタン穴７を形成してもよい。
ボタン６は、糸などで外装服第一周縁２ａの近傍に設置されている。
外装服第一周縁２ａと外装服第二周縁２ｂの近傍には、ボタン６とボタン穴７ではなく、フックボタン、あるいは、ファスナーテープを設置してもよい。
【００２９】
内装服３は、図２１(ａ)(ｂ)に示すように、内装服３の正面を水平方向の中間点、あるいは、中間点の近傍で垂直方向に切断して、内装服第一周縁３ａと内装服第二周縁３ｂを形成して、内装服第一周縁３ａと内装服第二周縁３ｂの間にオープンファスナー５を設置してもよい。
このほかに、内装服３は、図２２(ａ)(ｂ)に示すように、内装服３の正面を水平方向の中間点、あるいは、中間点の近傍で垂直方向に切断して、内装服第一周縁３ａと内装服第二周縁３ｂを形成して、内装服第一周縁３ａの近傍にボタン６を設置して、内装服第二周縁３ｂの近傍にボタン穴７を形成してもよい。
ボタン６は、糸などで内装服第一周縁３ａの近傍に設置されている。
内装服第一周縁３ａと内装服第二周縁３ｂの近傍には、ボタン６とボタン穴７ではなく、フックボタン、あるいは、ファスナーテープを設置してもよい。
【００３０】
図１７(ａ)(ｂ)、図１９(ａ)(ｂ)、図２０(ａ)(ｂ)では、外装服２の袖９は半袖であり、図１８(ａ)(ｂ)、図２１(ａ)(ｂ)、図２２(ａ)(ｂ)では、内装服３の袖９は半袖ではあるが、外装服２の袖９と内装服３の袖９は長袖であってもよい。
【実施例４】
【００３１】
実施例４は、本発明の実施例３とは異なる実施例による冷却服１である。
【００３２】
実施例４の冷却服１は、実施例３に示す冷却服１の内装服３の内部に図２３(ａ)(ｂ)に示す袖９を有する上衣の形状を有する肌着４が設置されている点が実施例３とは異なる。
肌着４は、図２４(ａ)(ｂ)に示すようにメッシュ構造を有する布地８で構成してもよい。
図２３(ａ)(ｂ)、図２４(ａ)(ｂ)では、肌着４の袖９は半袖ではあるが、外装服２と内装服３の袖９が長袖であれば、肌着４の袖９は、長袖であってもよい。
【図面の簡単な説明】
【００３３】
【図１】冷却服の正面図である。
【図２】冷却服の背面図である。
【図３】冷却服の斜視図である。
【図４】(ａ)外装服の正面図である。(ｂ)外装服の背面図である。
【図５】(ａ)内装服の背面図である。(ｂ)内装服の背面図である。
【図６】(ａ)外装服の斜視図である。(ｂ)内装服の斜視図である。
【図７】(ａ)チャックを有する外装服の正面図である。(ｂ)チャックを有する外装服の背面図である。
【図８】(ａ)ボタンを有する外装服の正面図である。(ｂ)ボタンを有する外装服の背面図である。
【図９】(ａ)チャックを有する内装服の正面図である。(ｂ)チャックを有する内装服の背面図である。
【図１０】(ａ)ボタンを有する内装服の正面図である。(ｂ)ボタンを有する内装服の背面図である。
【図１１】肌着が内装服の内側に設置されている冷却服の正面図である。
【図１２】肌着が内装服の内側に設置されている冷却服の背面図である。
【図１３】肌着が内装服の内側に設置されている冷却服の斜視図である。
【図１４】(ａ)肌着の正面図である。(ｂ)肌着の背面図である。
【図１５】肌着の斜視図である。
【図１６】(ａ)メッシュ構造を有する布地で構成された肌着の正面図である。(ｂ)メッシュ構造を有する布地で構成された肌着の背面図である。
【図１７】(ａ)袖が設置されている外装服の正面図である。(ｂ)袖が設置されている外装服の背面図である。
【図１８】(ａ)袖が設置されている内装服の背面図である。(ｂ)袖が設置されている内装服の背面図である。
【図１９】(ａ)チャックを有する袖が設置されている外装服の正面図である。(ｂ)チャックを有する袖が設置されている外装服の背面図である。
【図２０】(ａ)ボタンを有する袖が設置されている外装服の正面図である。(ｂ)ボタンを有する袖が設置されている外装服の背面図である。
【図２１】(ａ)チャックを有する袖が設置されている内装服の正面図である。(ｂ)チャックを有する袖が設置されている内装服の背面図である。
【図２２】(ａ)ボタンを有する袖が設置されている内装服の正面図である。(ｂ)ボタンを有する袖が設置されている内装服の背面図である。
【図２３】(ａ)袖が設置されている肌着の正面図である。(ｂ)袖が設置されている肌着の背面図である。
【図２４】(ａ)袖が設置されているメッシュ構造を有する布地で構成された肌着の正面図である。(ｂ)袖が設置されているメッシュ構造を有する布地で構成された肌着の背面図である。
【符号の説明】
【００３４】
１    冷却服
２    外装服
２ａ  外装服第一周縁
２ｂ  外装服第二周縁
３    内装服
３ａ  外装服第一周縁
３ｂ  外装服第二周縁
４    肌着
５    オープンファスナー
６    ボタン
７    ボタン穴
８    メッシュ構造を有する布地
９    袖
【図１】
2012117155.tif 000003
【図２】
2012117155.tif 000004
【図３】
2012117155.tif 000005
【図４】
2012117155.tif 000006
【図５】
2012117155.tif 000007
【図６】
2012117155.tif 000008
【図７】
2012117155.tif 000009
【図８】
2012117155.tif 000010
【図９】
2012117155.tif 000011
【図１０】
2012117155.tif 000012
【図１１】
2012117155.tif 000013
【図１２】
2012117155.tif 000014
【図１３】
2012117155.tif 000015
【図１４】
2012117155.tif 000016
【図１５】
2012117155.tif 000017
【図１６】
2012117155.tif 000018
【図１７】
2012117155.tif 000019
【図１８】
2012117155.tif 000020
【図１９】
2012117155.tif 000021
【図２０】
2012117155.tif 000022
【図２１】
2012117155.tif 000023
【図２２】
2012117155.tif 000024
【図２３】
2012117155.tif 000025
【図２４】
2012117155.tif 000026